(57)【要約】【課題】画像形成装置のカラー印刷時の印刷時間を短縮させる情報処理装置等を提供すること。【解決手段】情報処理装置は、ユーザーが印刷指示した画像データを変換して画像形成装置に送信できる印刷データを作成する印刷データ作成手段と、印刷データに変換される画像データについて該画像データを画像形成装置で印刷したときにカラーページが存在するか判断し、存在する場合は印刷データの先頭にカラーページが存在することを示すデータを付加する判断手段と、印刷データを画像形成装置に送信する送信手段とを備える。【選択図】図５
2011059628.tif 000002
【特許請求の範囲】
【請求項１】
ユーザーが印刷指示した画像データを変換して画像形成装置に送信できる印刷データを作成する印刷データ作成手段と、
前記印刷データ作成手段により印刷データに変換される画像データについて該画像データを前記画像形成装置で印刷したときにカラーページが存在するか否かを判断し、該カラーページが存在する場合は前記印刷データの先頭に前記カラーページが存在することを示すデータを付加する判断手段と、
前記印刷データを画像形成装置に送信する送信手段と
を備えたことを特徴とする情報処理装置。
【請求項２】
印刷プレビューを表示する表示手段を備え、
前記印刷データ作成手段は、前記表示手段により印刷プレビューが表示された画像データについて前記印刷データを作成することを特徴とする請求項１記載の情報処理装置。
【請求項３】
前記表示手段により印刷プレビューが表示された画像データであって、前記印刷データ作成手段により印刷データに変換される前記画像データについて、前記判断手段は該画像データを前記画像形成装置で印刷したときにカラーページが存在するか否かを判断し、該カラーページが存在する場合は前記印刷データの先頭に前記カラーページが存在することを示すデータを付加することを特徴とする請求項２記載の情報処理装置。
【請求項４】
前記印刷データ作成手段は画像データを含むファイルが作成された時点で作成された前記ファイルに含まれる画像データについて前記印刷データを作成し、
前記ファイルと前記印刷データとを関連付けて記憶する手段と、
前記記憶する手段を検索して前記印刷データを取得する手段とをさらに備えたことを特徴とする請求項１から３のいずれか１項に記載の情報処理装置。
【請求項５】
前記ファイルが作成された時点で、前記印刷データ作成手段により印刷データに変換される前記ファイルに含まれる画像データについて、前記判断手段は該画像データを前記画像形成装置で印刷したときにカラーページが存在するか否かを判断し、該カラーページが存在する場合は前記印刷データの先頭に前記カラーページが存在することを示すデータを付加することを特徴とする請求項４記載の情報処理装置。
【請求項６】
情報処理装置に、ユーザーが印刷指示した画像データを変換して画像形成装置に送信できる印刷データを作成する処理と、
前記印刷データに変換される画像データについて該画像データを前記画像形成装置で印刷したときにカラーページが存在するか否かを判断する処理と、
前記カラーページが存在する場合は前記印刷データの先頭に前記カラーページが存在することを示すデータを付加する処理と、
前記印刷データを画像形成装置に送信する処理と
を実行させることを特徴とするプログラム。
【請求項７】
複数の感光体上に形成された単色の画像を重畳してカラー画像を形成する画像形成装置であって、
少なくとも色ずれ補正を行う補正手段と、
画像データから変換された印刷データであり、前記画像データを印刷したときにカラーページが存在する場合は前記カラーページが存在することを示すデータが先頭に付加された印刷データを受信する受信手段とを備え、
前記受信手段により前記カラーページが存在することを示すデータが先頭に付加された印刷データを受信し、前記カラーページが存在すると判断した時点で、前記補正手段により色ずれ補正を行うことを特徴とする画像形成装置。
【発明の詳細な説明】
【技術分野】
【０００１】
本発明は、画像形成装置がカラー画像を形成する際に行う色ずれ補正の技術に関する。
【背景技術】
【０００２】
画像形成装置においては、複数色の色剤を用いて各色毎にトナー像を形成し、各色のトナー像を重ね合わせてフルカラー画像を形成する。このような画像形成装置において複数色を重ね合わせる方式も種々提案され、実施されている。その中に、各色のトナー像をそれぞれ別のドラム状の感光体上に形成し、転写部材あるいは記録媒体に各色のトナー像を重ね合わせる所謂タンデム方式のカラー画像形成装置がある。このような複数色を重畳してフルカラーの画像を形成する場合、各色のトナー像を重ね合わせたときに、被転写部材における位置関係が一致せず、色ずれを生じる場合がある。すなわち、Ｋ，Ｍ，Ｃ，Ｙの色ずれが発生するため、色ずれを補正する動作が必要となる。
【０００３】
色ずれを補正するために、中間転写ベルトにトナーによりパターンを描いてそのパターンをセンサで検知することにより色ずれ補正を行う場合がある。
【０００４】
しかし、色ずれ補正により色ずれを調整する回数が多いと、印刷以外でトナーが消費されてしまうため、調整回数をできるだけ少なくして画像品質を保つことが必要である。
【０００５】
しかし、今までのモノクロ印刷とカラー印刷の印刷状況に応じて、各色のトナー像を重ね合わせたときの色ずれ補正処理を実行するか否かを判断する画像形成装置について、モノクロ印刷を多用している画像形成装置において、カラー印刷時に、印刷前の色ずれ補正動作判断処理が行われ、印刷時間が長くなる問題があった。
【０００６】
特許文献１には、トナー消費を抑制することが目的で、モノクロ印刷とカラー印刷の印刷状況に応じて、現像剤画像のための補正処理を実行するか否かを判断することができる画像形成装置について、開示され、印刷状況を記憶部に記憶し、記憶した印刷状況に基づいて現像剤画像の補正処理を実行するか否かを制御部で制御し、 モノクロ印刷を多用している画像形成装置では、カラー印刷のために行う補正処理が実行されないため、補正処理に使用される搬送ベルトおよび画像形成部の消耗が抑制できる構成が開示されている。
【０００７】
特許文献２には、光源と走査結像光学系とにより構成される光学部からの光束を感光体ドラム上に結像して潜像を形成し、形成された潜像を現像してトナー画像を形成し、現像されたトナー画像を転写ベルトに転写して重ね合わせ、転写ベルト上に色ずれ補正パターンを形成し、転写ベルト上に形成された色ずれ補正パターンを検出し、その検出結果に基づいて色ずれを補正する際、色ずれ補正パターンを２つの転写紙の間で２色ずつ形成し、パターン形成頻度を各色毎に変更することで、ダウンタイムを生じることなく色ずれ補正をするとともに、補正が必要な色のみ適時補正する技術が開示されている。
【発明の概要】
【発明が解決しようとする課題】
【０００８】
しかし、上記の従来技術では、モノクロ印刷を多用している画像形成装置において、画像形成部材の消耗を抑制できるが、カラー印刷時に、印刷前の色ずれ補正動作判断処理が行われ、補正動作が必要なときはその時点から補正動作を行うのでカラー印刷時の印刷時間が長くなるという問題は解消できていない。
【０００９】
本発明は、画像形成装置のカラー印刷時の印刷時間を短縮させる情報処理装置、プログラムおよび画像形成装置を提供することを目的とする。
【課題を解決するための手段】
【００１０】
請求項１記載の発明は、ユーザーが印刷指示した画像データを変換して画像形成装置に送信できる印刷データを作成する印刷データ作成手段と、印刷データ作成手段により印刷データに変換される画像データについて該画像データを画像形成装置で印刷したときにカラーページが存在するか否かを判断し、該カラーページが存在する場合は印刷データの先頭にカラーページが存在することを示すデータを付加する判断手段と、印刷データを画像形成装置に送信する送信手段とを備えたことを特徴とする情報処理装置である。
【００１１】
請求項２記載の発明は、請求項１記載の情報処理装置において、印刷プレビューを表示する表示手段を備え、印刷データ作成手段は、表示手段により印刷プレビューが表示された画像データについて印刷データを作成することを特徴とする。
【００１２】
請求項３記載の発明は、請求項２記載の情報処理装置において、表示手段により印刷プレビューが表示された画像データであって、印刷データ作成手段により印刷データに変換される画像データについて、判断手段は該画像データを画像形成装置で印刷したときにカラーページが存在するか否かを判断し、該カラーページが存在する場合は印刷データの先頭にカラーページが存在することを示すデータを付加することを特徴とする。
【００１３】
請求項４記載の発明は、請求項１から３のいずれか１項に記載の情報処理装置において、印刷データ作成手段は画像データを含むファイルが作成された時点で作成されたファイルに含まれる画像データについて印刷データを作成し、ファイルと印刷データとを関連付けて記憶する手段と、記憶する手段を検索して印刷データを取得する手段とをさらに備えたことを特徴とする。
【００１４】
請求項５記載の発明は、請求項４記載の情報処理装置において、ファイルが作成された時点で、印刷データ作成手段により印刷データに変換されるファイルに含まれる画像データについて、判断手段は該画像データを画像形成装置で印刷したときにカラーページが存在するか否かを判断し、該カラーページが存在する場合は印刷データの先頭にカラーページが存在することを示すデータを付加することを特徴とする。
【００１５】
請求項６記載の発明は、情報処理装置に、ユーザーが印刷指示した画像データを変換して画像形成装置に送信できる印刷データを作成する処理と、印刷データに変換される画像データについて該画像データを画像形成装置で印刷したときにカラーページが存在するか否かを判断する処理と、カラーページが存在する場合は印刷データの先頭にカラーページが存在することを示すデータを付加する処理と、印刷データを画像形成装置に送信する処理とを実行させることを特徴とするプログラムである。
【００１６】
請求項７記載の発明は、複数の感光体上に形成された単色の画像を重畳してカラー画像を形成する画像形成装置であって、少なくとも色ずれ補正を行う補正手段と、画像データから変換された印刷データであり、画像データを印刷したときにカラーページが存在する場合はカラーページが存在することを示すデータが先頭に付加された印刷データを受信する受信手段とを備え、受信手段によりカラーページが存在することを示すデータが先頭に付加された印刷データを受信し、カラーページが存在すると判断した時点で、補正手段により色ずれ補正を行うことを特徴とする画像形成装置である。
【発明の効果】
【００１７】
本発明によれば、画像形成装置のカラー印刷時の印刷時間を短縮することができる。
【図面の簡単な説明】
【００１８】
【図１】本発明の実施の形態における画像形成装置の構成について説明する図である。
【図２】本発明の実施の形態における画像形成装置のシステム構成について説明する図である。
【図３】本発明の実施の形態における画像形成装置の機能ブロック図である。
【図４】本発明の実施の形態における画像形成装置に印刷データを送信する情報処理装置の構成例について説明する図である。
【図５】本発明の実施の形態における画像形成装置に印刷データを送信する情報処理装置の機能ブロック図である。
【図６】本発明の実施の形態における画像形成装置に印刷データを送信する情報処理装置の印刷データ送信処理について説明するフローチャートである。
【図７】本発明の実施の形態における画像形成装置が印刷データを印刷する処理について説明するフローチャートである。
【図８】本発明の実施の形態における具体的なカラー印刷時の印刷時間短縮について説明する図である。
【図９】本発明の実施の形態における情報処理装置の印刷データ送信処理の一例について説明するフローチャートである。
【図１０】本発明の実施の形態における情報処理装置の印刷データ送信処理の一例について説明するフローチャートである。
【図１１】本発明の実施の形態における情報処理装置の印刷データ送信処理の一例について説明するフローチャートである。
【図１２】本発明の実施の形態における情報処理装置の印刷データ送信処理の一例について説明するフローチャートである。
【図１３】本発明の実施の形態における情報処理装置の印刷データ送信処理の一例について説明するフローチャートである。
【図１４】本発明の実施の形態における情報処理装置の印刷データ送信処理の一例について説明するフローチャートである。
【図１５】本発明の実施の形態における情報処理装置の印刷データ送信処理の一例について説明するフローチャートである。
【図１６】本発明の実施の形態における情報処理装置の印刷データ送信処理の一例について説明するフローチャートである。
【発明を実施するための形態】
【００１９】
以下、本発明の実施の形態について図面を参照して説明する。図１は、本実施の形態における画像形成装置の構成について説明する図である。
【００２０】
図１に示すように画像形成装置には４つの感光体１−ａ，１−ｂ，１−ｃ，１−ｄと感光体に接触する中間転写ベルト２、各色の感光体にＬＤ光を当てるＬＤ装置３−ａ，３−ｂ，３−ｃ，３−ｄ、中間転写ベルト上のトナー像の濃度を読み取るセンサ４から構成されている。また、トナーカードリッジは図示していないが、感光体１−ａ，１−ｂ，１−ｃ，１−ｄにそれぞれ隣接して設置されているものとする。
【００２１】
これら４つの感光体１−ａ，１−ｂ，１−ｃ，１−ｄは、シアン（Ｃ）、イエロー（Ｙ）、マゼンタ（Ｍ）、ブラック（Ｂｋ）にそれぞれ対応した画像を形成する。この色の順は任意に設定することができる。これら４つの感光体１−ａ，１−ｂ，１−ｃ，１−ｄの各々の周囲には、図示ないものもあるが、電子写真プロセスにより画像形成を行うための、帯電ローラ、帯電ブラシあるいは帯電チャージャ等で構成された帯電部と、光書き込み装置から出射されたレーザビーム（レーザ光）の露光部と、Ｃ，Ｙ，Ｍ，Ｂｋの各色の現像装置で構成された現像部と、転写ローラ、転写ブラシ等で構成された転写部を備えた転写搬送装置と、クリーニングブレード、クリーニングブラシ等で構成されたクリーニング部等が配置され、それぞれの感光体１−ａ，１−ｂ，１−ｃ，１−ｄに各色の画像形成を行うことができるようになっている。これらの構成は公知の構成であるため、詳細は割愛する。
【００２２】
各感光体１−ａ，１−ｂ，１−ｃ，１−ｄの表面は、図示しない帯電装置によりそれぞれ所定の電位に帯電されている。したがって、各感光体１−ａ，１−ｂ，１−ｃ，１−ｄの帯電面が露光されると、上記帯電面に各色（シアン、イエロー、マゼンダ、ブラック）に対応する潜像が形成され、その各潜像が各色に対応する図示しない現像装置により現像されて各色のトナー画像となる。各感光体１−ａ，１−ｂ，１−ｃ，１−ｄ上に形成された各トナー画像は、中間転写ベルト２上に静電吸着されて搬送される記録媒体である転写紙に順次重ね合わされて転写され、フルカラー画像が印刷される。
【００２３】
図２は画像形成装置のシステム構成を示すブロック図である。
ＣＰＵ（Central Processing Unit）５は、プログラム命令を解釈し、実行することができる中央制御装置である。
操作パネル６は、画像形成装置を利用するユーザーが画像形成装置の状態把握や、画像形成装置の動作を変更することができるパネルである。
ＲＯＭ（Read Only Memory）７は、ＣＰＵ５で実行するプログラムを格納した読み出し専用の半導体メモリである。
ＥＥＰＲＯＭ（Electrically Erasable and Programmable ROM）８は、電気的に消去（書き換え）できるＲＯＭである。電源を切ってもデータは消えない。
ＲＡＭ（Random Access Memory）９は、任意のアドレスを指定して読み書きすることが可能な半導体メモリである。
画像メモリ１０は、画像形成装置が印刷するデータを格納するメモリである。
Ｉ／Ｏ１１は、センサやモータやクラッチなどの電装品の入出力を制御する機能を有している。
Ｉ／Ｆ１２は、本画像形成装置と本画像形成装置に印刷要求を行う情報処理装置とのインターフェースである。
【００２４】
図３は画像形成装置の機能ブロック図である。
コンピュータインタフェース部１３は、画像形成装置に印刷要求を行う情報処理装置と通信を行う。Ｉ／Ｆ１２により実現されてよい。
プロッタ部１４は、画像メモリ部１６に格納されている画像から電子写真方式によりトナー画像を作成し、用紙に転写し機外に排出する。図示しない画像形成装置のプロッタにより実現されてよい。
画像メモリ部１５は、画像形成装置に印刷要求を行う情報処理装置から送信された画像データを格納する。画像メモリ１０により実現されてよい。
操作部１６は、画像形成装置の状態を表示、画像形成装置への入力を受け付ける。操作パネル６により実現されてよい。
プリントジョブ管理部１７は、画像形成装置に要求された印刷ジョブについて、印刷を行う順番を管理する。ＣＰＵ５により実現されてよい。
トナー濃度検知部１８は、中間転写ベルト上のトナー濃度検知を行う。センサ４により実現されてよい。
補正部１９は、色ずれ補正などを行う。ＣＰＵ５により実現されてよい。色ずれ補正などは、例えば、特許文献１や特許文献２に開示されているような既知の手法が用いられてよい。
記憶部２０は、制御を行うためのデータを記憶している。ＲＯＭ７、ＥＥＰＲＯＭ８、ＲＡＭ９により実現されてよい。
制御部２１は、画像形成装置の一連の動作を制御する。ＣＰＵ５により実現されてよい。
【００２５】
図４は、画像形成装置に印刷データを送信する情報処理装置の構成例について説明する図である。
ＣＰＵ２２は、プログラム命令を解釈し、実行することができる中央制御装置である。
メモリ２３は、処理するデータや処理を行ったデータを格納する記憶装置である。
外部Ｉ／Ｆ２４は、画像形成装置と画像形成装置に印刷要求を行う本情報処理装置とのインターフェースである。
【００２６】
図５は画像形成装置に印刷データを送信する情報処理装置の機能ブロック図である。
画像形成装置インターフェース部２６は、画像形成装置に印刷データを送信する。外部Ｉ／Ｆ２４により実現されてよい。
画像記憶部２７は、画像形成装置に送信する画像データを保持している。メモリ２３により実現されてよい。
印刷データ作成部２８は、画像記憶部２７に記憶されている画像データを変換して画像形成装置に送信できる印刷データを作成する。ＣＰＵ２２により実現されてよい。
カラー／モノクロ判断部２９は、画像記憶部２７に記憶されているＲＧＢ画像データをＫＭＣＹ画像データに変換し、Ｋ色以外のデータがあるかをチェックし、画像全体がカラーであるか、あるいはモノクロであるかを判断する。また、上記の変換されたＫＭＣＹ画像データを印刷したときにカラーページが一部であっても存在する場合はカラーフラグがたてられ、全てがモノクロページである場合はカモノクロフラグがたてられるカラー／モノクロフラグ情報を作成して印刷データのヘッダ部に付加する。ＣＰＵ２２により実現されてよい。
制御部２５は、情報処理装置の一連の動作を制御する。ＣＰＵ２２により実現されてよい。
【００２７】
図６は、画像形成装置に印刷データを送信する情報処理装置の印刷データ送信処理について説明する図である。
【００２８】
図６を参照すると、情報処理装置の制御部２５は、情報処理装置を操作するユーザーが図示しない操作部を操作等して印刷指示を行ったかどうかを判断する（ステップＳ１）。
【００２９】
印刷指示を行った場合（ステップＳ１／ＹＥＳ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ２）。
【００３０】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ３）。すなわち、画像データを印刷したときにカラーページが一部であっても存在する場合はカラーフラグをたて、全てがモノクロページである場合はモノクロフラグをたてる。
【００３１】
カラー／モノクロ判断部２９は、作成した印刷データのヘッダ部に作成したカラー／モノクロフラグ情報を付加する（ステップＳ４）。
【００３２】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ５）。
【００３３】
図７は、画像形成装置が印刷データを印刷する処理について説明する図である。
【００３４】
図７を参照すると、画像形成装置の制御部２１は、コンピュータインタフェース部１３による情報処理装置からの印刷要求の受信があったかどうかを判断する（ステップＳ６）。
【００３５】
印刷要求の受信があった場合（ステップＳ６／ＹＥＳ）、制御部２１は、情報処理装置から受信した印刷データのヘッダ部に付加されたカラー／モノクロフラグ情報を参照して全ページモノクロかどうかを判断する（ステップＳＳ７）。
【００３６】
全ページモノクロでない、すなわちカラーページが一部であっても存在する場合（ステップＳ７／ＮＯ）、制御部２１は、画像形成装置の状態（前回補正を行った温度と現在の温度が大きく異なるなど）により補正動作が必要かどうかを判断する（ステップＳ８）。
【００３７】
補正動作が必要である場合（ステップＳ８／ＹＥＳ）、補正部１９やトナー濃度検知部１８は、色ずれ補正または濃度調整の補正（以下、まとめて「色ずれ補正等」という）の処理を実施する（ステップＳ９）。
【００３８】
プロッタ部１４は、電子写真方式により印刷動作を実施する（ステップＳ１０）。なお、全ページモノクロである場合（ステップＳ７／ＹＥＳ）や、補正動作が必要でない場合（ステップＳ８／ＮＯ）は、色ずれ補正等の処理を実施することなく印刷動作を実施する。
【００３９】
図８は、具体的なカラー印刷時の印刷時間短縮について説明する図である。
【００４０】
図８を参照すると、従来では、画像形成装置において、情報処理装置から受信した印刷データをページ毎に感光体にＬＤ発光できるデータに変換する必要がある（図８においては画像処理と記述している）。
従来では、２ページ目印刷終了後、３ページ目にカラー印刷と判断して、３ページカラー印刷前に色ずれ補正等の処理を実施するため、本実施形態と比較して１ページ目の画像処理時間分が長くなる。
本実施形態では、初め（印刷データ受信と同時）に全ページモノクロかどうかを判断して、全ページモノクロでない場合、すなわちカラーページが一部であっても存在する場合は印刷データ受信と同時に色ずれ補正等の処理を開始するため、従来と比較して、１ページ目の画像処理時間分を短縮することができる。
本実施形態では、画像形成装置に印刷データを送信する情報処理装置において画像データを解析し、印刷データのヘッダにカラー／モノクロ情報を付加して画像形成装置に送信することにより、画像形成装置において受信したカラー／モノクロフラグ情報から全ページモノクロかどうかを判断して、色ずれ補正等の処理動作要否を判断し、色ずれ補正等の処理動作が必要なときはその時点から色ずれ補正等の処理動作を行うので画像処理動作中に色ずれ補正等の処理正動作を行うことでカラー印刷時の印刷時間を短縮できる。
【００４１】
図９は、情報処理装置の印刷データ送信処理の一例について説明する図である。
【００４２】
図９を参照すると、情報処理装置の制御部２５は、図示しない表示部に印刷プレビューが行われたかどうかを判断する（ステップＳ１１）。
【００４３】
印刷プレビューが行われた場合（ステップＳ１１／ＹＥＳ）、印刷データ作成部２８は、ユーザーにより印刷プレビューが行われた画像データをＫＭＣＹ画像に変換し印刷に必要な情報（部数、ページ数、トレイ情報、解像度など）を追加した印刷データを作成する（ステップＳ１２）。
【００４４】
制御部２５は、印刷プレビューが行われた画像データについて印刷データの作成が完了していることを示す印刷データ作成フラグをメモリ２３等の記憶媒体に記憶する（ステップＳ１３）
【００４５】
制御部２５は、情報処理装置を操作するユーザーが図示しない操作部を操作等して印刷指示を行ったかどうかを判断する（ステップＳ１４）。
【００４６】
印刷指示を行った場合（ステップＳ１４／ＹＥＳ）、制御部２５は、ユーザーが印刷指示した画像データの印刷データの作成を完了しているかどうか、すなわち印刷データ作成フラグが記憶されているかを確認する（ステップＳ１５）。
【００４７】
印刷データの作成を完了していない場合（ステップＳ１５／ＮＯ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ１６）。
【００４８】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ１７）。すなわち、画像データを印刷したときにカラーページが一部であっても存在する場合はカラーフラグをたて、全てがモノクロページである場合はモノクロフラグをたてる。なお、印刷データの作成を完了している場合（ステップＳ１５／ＹＥＳ）も本ステップに移行する。
【００４９】
カラー／モノクロ判断部２９は、作成した印刷データのヘッダ部にステップＳ１７で作成したカラー／モノクロフラグ情報を付加する（ステップＳ１８）。
【００５０】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ１９）。
【００５１】
上記の図９に示す一連の処理動作によれば、情報処理装置において、ユーザーが図示しない操作部を操作等して印刷指示の前に印刷プレビューを表示した場合、先に印刷データを作成するので印刷指示から印刷完了までの時間を短縮することができる。
【００５２】
図１０は、情報処理装置の印刷データ送信処理の一例について説明する図である。
【００５３】
図１０を参照すると、情報処理装置の制御部２５は、印刷プレビュー時に印刷データを作成する設定であるかどうかを判断する（ステップＳ２１）。情報処理装置において、印刷指示の前に印刷プレビューを表示した場合に印刷データを作成するかどうかをユーザーが指定することができるようにし、情報処理装置のスペックに合わせた印刷送信処理を実現する。
【００５４】
印刷プレビュー時に印刷データを作成する設定である場合（ステップＳ２１／ＹＥＳ）、情報処理装置の制御部２５は、図示しない表示部に印刷プレビューが行われたかどうかを判断する（ステップＳ２２）。
【００５５】
印刷プレビューが行われた場合（ステップＳ２２／ＹＥＳ）、印刷データ作成部２８は、印刷プレビューが行われた画像データをＫＭＣＹ画像に変換し印刷に必要な情報（部数、ページ数、トレイ情報、解像度など）を追加した印刷データを作成する（ステップＳ２３）。
【００５６】
制御部２５は、印刷プレビューが行われた画像データについて印刷データの作成が完了していることを示す印刷データ作成フラグをメモリ２３等の記憶媒体に記憶する（ステップＳ２４）
【００５７】
制御部２５は、情報処理装置を操作するユーザーが図示しない操作部を操作等して印刷指示を行ったかどうかを判断する（ステップＳ２５）。
【００５８】
印刷指示を行った場合（ステップＳ２５／ＹＥＳ）、制御部２５は、ユーザーが印刷指示した画像データについて印刷データの作成を完了しているかどうか、すなわち印刷データ作成フラグが記憶されているかを確認する（ステップＳ２６）。
【００５９】
印刷データの作成を完了していない場合（ステップＳ２６／ＮＯ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ２７）。
【００６０】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ２８）。すなわち、画像データを印刷したときにカラーページが一部であっても存在する場合はカラーフラグをたて、全てがモノクロページである場合はモノクロフラグをたてる。なお、印刷データの作成を完了している場合（ステップＳ２６／ＹＥＳ）も本ステップに移行する。
【００６１】
カラー／モノクロ判断部２９は、作成した印刷データのヘッダ部にステップＳ２８で作成したカラー／モノクロフラグ情報を付加する（ステップＳ２９）。
【００６２】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ３０）。
【００６３】
図１１は、情報処理装置の印刷データ送信処理の一例について説明する図である。
【００６４】
図１１を参照すると、情報処理装置の制御部２５は、図示しない表示部に印刷プレビューが行われたかどうかを判断する（ステップＳ３１）。
【００６５】
印刷プレビューが行われた場合（ステップＳ３１／ＹＥＳ）、印刷データ作成部２８は、印刷プレビューが行われた画像データをＫＭＣＹ画像に変換し印刷に必要な情報（部数、ページ数、トレイ情報、解像度など）を追加した印刷データを作成する（ステップＳ３２）。
【００６６】
カラー／モノクロ判断部２９は、印刷プレビューが行われた画像データにＫ色以外の画像データが存在するかどうか、すなわち画像が全体としてカラーであるか、あるいはモノクロであるかをチェックして、カラー／モノクロフラグ情報を作成する（ステップＳ３３）。すなわち、画像データを印刷したときにカラーページが一部であっても存在する場合はカラーフラグをたて、全てがモノクロページである場合はモノクロフラグをたてる。
【００６７】
カラー／モノクロ判断部２９は、作成した印刷データのヘッダ部にステップＳ３３で作成したカラー／モノクロフラグ情報を付加する（ステップＳ３４）。
【００６８】
制御部２５は、印刷プレビューが行われた画像データについてヘッダ部にカラー／モノクロフラグ情報が付加された印刷データの作成が完了していることを示す印刷データ作成フラグをメモリ２３等の記憶媒体に記憶する（ステップＳ３５）
【００６９】
制御部２５は、情報処理装置を操作するユーザーが図示しない操作部を操作等して印刷指示を行ったかどうかを判断する（ステップＳ３６）。
【００７０】
印刷指示を行った場合（ステップＳ３６／ＹＥＳ）、制御部２５は、ユーザーが印刷指示した画像データについてヘッダ部にカラー／モノクロフラグ情報が付加された印刷データの作成を完了しているかどうか、すなわち印刷データ作成フラグが記憶されているかを確認する（ステップＳ３７）。
【００７１】
印刷データの作成を完了していない場合（ステップＳ３７／ＮＯ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ３８）。
【００７２】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ３９）。すなわち、画像データを印刷したときにカラーページが一部であっても存在する場合はカラーフラグをたて、全てがモノクロページである場合はモノクロフラグをたてる。
【００７３】
カラー／モノクロ判断部２９は、作成した印刷データのヘッダ部にステップＳ３９で作成したカラー／モノクロフラグ情報を付加する（ステップＳ４０）。
【００７４】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ４１）。なお、ヘッダ部にカラー／モノクロフラグ情報が付加された印刷データの作成を完了している場合（ステップＳ３７／ＹＥＳ）も本ステップに移行する。
【００７５】
上記の図１１に示す一連の処理動作によれば、情報処理装置において、ユーザーが図示しない操作部を操作等して印刷指示の前に印刷プレビューを表示した場合、印刷データの作成を行い、さらにカラー／モノクロ判定処理結果を印刷データに付加するので印刷指示から印刷完了までの時間をさらに短縮することができる。
【００７６】
図１２は、情報処理装置の印刷データ送信処理の一例について説明する図である。
【００７７】
図１２を参照すると、情報処理装置の制御部２５は、印刷プレビュー時に印刷データを作成し、カラー／モノクロ判断処理を実施する設定であるかどうかを判断する（ステップＳ５１）。情報処理装置において、印刷指示の前に印刷プレビューを表示した場合に印刷データの作成と、カラー／モノクロ判定処理結果を印刷データに付加するかどうかをユーザーが指定することができるようにし、情報処理装置のスペックに合わせた印刷送信処理を実現する。
【００７８】
印刷プレビュー時に印刷データを作成し、カラー／モノクロ判断処理を実施する設定である場合（ステップＳ５１／ＹＥＳ）、情報処理装置の制御部２５は、図示しない表示部に印刷プレビューが行われたかどうかを判断する（ステップＳ５２）。
【００７９】
印刷プレビューが行われた場合（ステップＳ５２／ＹＥＳ）、印刷データ作成部２８は、印刷プレビューが行われた画像データをＫＭＣＹ画像に変換し印刷に必要な情報（部数、ページ数、トレイ情報、解像度など）を追加した印刷データを作成する（ステップＳ５３）。
【００８０】
カラー／モノクロ判断部２９は、印刷プレビューが行われた画像データにＫ色以外の画像データが存在するかどうか、すなわち画像が全体としてカラーであるか、あるいはモノクロであるかをチェックして、カラー／モノクロフラグ情報を作成する（ステップＳ５４）。すなわち、画像データを印刷したときにカラーページが一部であっても存在する場合はカラーフラグをたて、全てがモノクロページである場合はモノクロフラグをたてる。
【００８１】
カラー／モノクロ判断部２９は、作成した印刷データのヘッダ部にステップＳ５４で作成したカラー／モノクロフラグ情報を付加する（ステップＳ５５）。
【００８２】
制御部２５は、印刷プレビューが行われた画像データについてヘッダ部にカラー／モノクロフラグ情報が付加された印刷データの作成が完了していることを示す印刷データ作成フラグをメモリ２３等の記憶媒体に記憶する（ステップＳ５６）。
【００８３】
制御部２５は、情報処理装置を操作するユーザーが図示しない操作部を操作等して印刷指示を行ったかどうかを判断する（ステップＳ５７）。
【００８４】
印刷指示を行った場合（ステップＳ５７／ＹＥＳ）、制御部２５は、ユーザーが印刷指示した画像データについてヘッダ部にカラー／モノクロフラグ情報が付加された印刷データの作成を完了しているかどうか、すなわち印刷データ作成フラグが記憶されているかを確認する（ステップＳ５８）。
【００８５】
印刷データの作成を完了していない場合（ステップＳ５８／ＮＯ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ５９）。
【００８６】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ６０）。すなわち、画像データを印刷したときにカラーページが一部であっても存在する場合はカラーフラグをたて、全てがモノクロページである場合はモノクロフラグをたてる。
【００８７】
カラー／モノクロ判断部２９は、作成した印刷データのヘッダ部にステップＳ６０で作成したカラー／モノクロフラグ情報を付加する（ステップＳ６１）。
【００８８】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ６２）。なお、ヘッダ部にカラー／モノクロフラグ情報が付加された印刷データの作成を完了している場合（ステップＳ５８／ＹＥＳ）も本ステップに移行する。
【００８９】
図１３は、情報処理装置の印刷データ送信処理の一例について説明する図である。
【００９０】
図１３を参照すると、情報処理装置の制御部２５は、新規にファイル（少なくとも１つ以上の画像データを含むデータをいう。以下同様である。）が作成されたかを判断する（ステップＳ７１）。
【００９１】
新規にファイルが作成された場合（ステップＳ７１／ＹＥＳ）、印刷データ作成部２８は、新規に作成されたファイルの画像データをＫＭＣＹ画像に変換し印刷に必要な情報（部数、ページ数、トレイ情報、解像度など）を追加した印刷データを作成する（ステップＳ７２）。
【００９２】
情報処理装置の制御部２５は、新規に作成されたファイルの画像データと作成された印刷データとを関連付けて記憶した場所を記述した関連ファイルを作成する（ステップＳ７３）。例えば、ファイル名と印刷データとが対応付けられることであってもよい。
【００９３】
制御部２５は、情報処理装置を操作するユーザーが図示しない操作部を操作等して新規に作成されたファイルの画像データの印刷指示を行ったかどうかを判断する（ステップＳ７４）。
【００９４】
印刷指示を行った場合（ステップＳ７４／ＹＥＳ）、制御部２５は、関連ファイルを参照して、記憶されている印刷データを検索して取得する（ステップＳ７５）。ファイル名から印刷データを検索することであってもよい。
【００９５】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ７６）。すなわち、画像データを印刷したときにカラーページが一部であっても存在する場合はカラーフラグをたて、全てがモノクロページである場合はモノクロフラグをたてる。
【００９６】
カラー／モノクロ判断部２９は、ステップＳ７５で取得した印刷データのヘッダ部にステップＳ７６で作成したカラー／モノクロフラグ情報を付加する（ステップＳ７７）。
【００９７】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ７８）。
【００９８】
上記の図１３に示す一連の処理動作によれば、情報処理装置において、印刷指示から印刷完了までの時間をさらに短縮することができる。
【００９９】
図１４は、情報処理装置の印刷データ送信処理の一例について説明する図である。
【０１００】
図１４を参照すると、情報処理装置の制御部２５は、新規にファイルが作成されたときに印刷データを作成する設定であるかどうかを判断する（ステップＳ８１）。情報処理装置において、新規ファイル作成時に印刷データの作成を行うかどうかをユーザーが指定することができるようにし、情報処理装置のスペックに合わせた印刷送信処理を実現する。
【０１０１】
新規にファイルが作成されたときに印刷データを作成する設定である場合（ステップＳ８１／ＹＥＳ）、制御部２５は、新規にファイルが作成されたかを判断する（ステップＳ８２）。
【０１０２】
新規にファイルが作成された場合（ステップＳ８２／ＹＥＳ）、印刷データ作成部２８は、新規に作成されたファイルの画像データをＫＭＣＹ画像に変換し印刷に必要な情報（部数、ページ数、トレイ情報、解像度など）を追加した印刷データを作成する（ステップＳ８３）。
【０１０３】
情報処理装置の制御部２５は、新規に作成されたファイルの画像データと作成された印刷データとを関連付けて記憶した場所を記述した関連ファイルを作成する（ステップＳ８４）。例えば、ファイル名と印刷データとが対応付けられることであってもよい。
【０１０４】
制御部２５は、情報処理装置を操作するユーザーが図示しない操作部を操作等して新規に作成されたファイルの画像データの印刷指示を行ったかどうかを判断する（ステップＳ８５）。
【０１０５】
印刷指示を行った場合（ステップＳ８５／ＹＥＳ）、制御部２５は、関連ファイルを参照して、記憶されている印刷データを検索して取得する（ステップＳ８６）。ファイル名から印刷データを検索することであってもよい。
【０１０６】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ８７）。すなわち、画像データを印刷したときにカラーページが一部であっても存在する場合はカラーフラグをたて、全てがモノクロページである場合はモノクロフラグをたてる。
【０１０７】
カラー／モノクロ判断部２９は、ステップＳ８６で取得した印刷データのヘッダ部にステップＳ８７で作成したカラー／モノクロフラグ情報を付加する（ステップＳ８８）。
【０１０８】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ８９）。
【０１０９】
新規にファイルが作成されたときに印刷データを作成する設定でない場合（ステップＳ８１／ＮＯ）、制御部２５は、情報処理装置を操作するユーザーが図示しない操作部を操作等して印刷指示を行ったかどうかを判断する（ステップＳ９０）。
【０１１０】
印刷指示を行った場合（ステップＳ９０／ＹＥＳ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ９１）。
【０１１１】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ９２）。すなわち、画像データを印刷したときにカラーページが一部であっても存在する場合はカラーフラグをたて、全てがモノクロページである場合はモノクロフラグをたてる。
【０１１２】
カラー／モノクロ判断部２９は、作成した印刷データのヘッダ部に作成したカラー／モノクロフラグ情報を付加する（ステップＳ９３）。
【０１１３】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ９４）。
【０１１４】
図１５は、情報処理装置の印刷データ送信処理の一例について説明する図である。
【０１１５】
図１５を参照すると、情報処理装置の制御部２５は、新規にファイルが作成されたかを判断する（ステップＳ１０１）。
【０１１６】
新規にファイルが作成された場合（ステップＳ１０１／ＹＥＳ）、印刷データ作成部２８は、新規に作成されたファイルの画像データをＫＭＣＹ画像に変換し印刷に必要な情報（部数、ページ数、トレイ情報、解像度など）を追加した印刷データを作成する（ステップＳ１０２）。
【０１１７】
カラー／モノクロ判断部２９は、新規に作成されたファイルの画像データにＫ色以外の画像データが存在するかどうか、すなわち画像が全体としてカラーであるか、あるいはモノクロであるかをチェックして、カラー／モノクロフラグ情報を作成する（ステップＳ１０３）。すなわち、画像データを印刷したときにカラーページが一部であっても存在する場合はカラーフラグをたて、全てがモノクロページである場合はモノクロフラグをたてる。
【０１１８】
カラー／モノクロ判断部２９は、取得した印刷データのヘッダ部にステップＳ１０３で作成したカラー／モノクロフラグ情報を付加する（ステップＳ１０４）。
【０１１９】
情報処理装置の制御部２５は、新規に作成されたファイルの画像データと作成された印刷データ（ヘッダ部にカラー／モノクロフラグ情報が付加されている）とを関連付けて記憶した場所を記述した関連ファイルを作成する（ステップＳ１０５）。例えば、ファイル名と印刷データとが対応付けられることであってもよい。
【０１２０】
制御部２５は、情報処理装置を操作するユーザーが図示しない操作部を操作等して新規に作成されたファイルの画像データの印刷指示を行ったかどうかを判断する（ステップＳ１０６）。
【０１２１】
印刷指示を行った場合（ステップＳ１０６／ＹＥＳ）、制御部２５は、関連ファイルを参照して、記憶されている印刷データを検索して取得する（ステップＳ１０７）。ファイル名から印刷データを検索することであってもよい。
【０１２２】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ１０８）。
【０１２３】
上記の図１５に示す一連の処理動作によれば、情報処理装置において、印刷指示から印刷完了までの時間をさらに短縮することができる。
【０１２４】
図１６は、情報処理装置の印刷データ送信処理の一例について説明する図である。
【０１２５】
図１６を参照すると、情報処理装置の制御部２５は、新規にファイルが作成されたときに印刷データを作成し、カラー／モノクロ判断処理を実施する設定であるかどうかを判断する（ステップＳ１１１）。情報処理装置において、ファイル作成時に印刷データを作成し、カラー／モノクロ判断処理を実施するかどうかをユーザーが指定することができるようにし、情報処理装置のスペックに合わせた印刷送信処理を実現する。
【０１２６】
新規にファイルが作成されたときに印刷データを作成し、カラー／モノクロ判断処理を実施する設定である場合（ステップＳ１１１／ＹＥＳ）、制御部２５は、新規にファイルが作成されたかを判断する（ステップＳ１１２）。
【０１２７】
新規にファイルが作成された場合（ステップＳ１１２／ＹＥＳ）、印刷データ作成部２８は、新規に作成されたファイルの画像データをＫＭＣＹ画像に変換し印刷に必要な情報（部数、ページ数、トレイ情報、解像度など）を追加した印刷データを作成する（ステップＳ１１３）。
【０１２８】
カラー／モノクロ判断部２９は、新規に作成されたファイルの画像データにＫ色以外の画像データが存在するかどうか、すなわち画像が全体としてカラーであるか、あるいはモノクロであるかをチェックして、カラー／モノクロフラグ情報を作成する（ステップＳ１１４）。すなわち、画像データを印刷したときにカラーページが一部であっても存在する場合はカラーフラグをたて、全てがモノクロページである場合はモノクロフラグをたてる。
【０１２９】
カラー／モノクロ判断部２９は、取得した印刷データのヘッダ部にステップＳ１１４で作成したカラー／モノクロフラグ情報を付加する（ステップＳ１１５）。
【０１３０】
情報処理装置の制御部２５は、新規に作成されたファイルの画像データと作成された印刷データ（ヘッダ部にカラー／モノクロフラグ情報が付加されている）とを関連付けて記憶した場所を記述した関連ファイルを作成する（ステップＳ１１６）。例えば、ファイル名と印刷データとが対応付けられることであってもよい。
【０１３１】
制御部２５は、情報処理装置を操作するユーザーが図示しない操作部を操作等して新規に作成されたファイルの画像データの印刷指示を行ったかどうかを判断する（ステップＳ１１７）。
【０１３２】
印刷指示を行った場合（ステップＳ１１７／ＹＥＳ）、制御部２５は、関連ファイルを参照して、記憶されている印刷データを検索して取得する（ステップＳ１１８）。ファイル名から印刷データを検索することであってもよい。
【０１３３】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ１１９）。
【０１３４】
一方、新規にファイルが作成されたときに印刷データを作成し、カラー／モノクロ判断処理を実施する設定でない場合（ステップＳ１１１／ＮＯ）、制御部２５は、情報処理装置を操作するユーザーが図示しない操作部を操作等して印刷指示を行ったかどうかを判断する（ステップＳ１２０）。
【０１３５】
印刷指示を行った場合（ステップＳ１２０／ＹＥＳ）、印刷データ作成部２８は、ユーザーが印刷指示した画像データをＫＭＣＹ画像に変換し印刷に必要な情報（部数、ページ数、トレイ情報、解像度など）を追加した印刷データを作成する（ステップＳ１２１）。
【０１３６】
カラー／モノクロ判断部２９は、ユーザーが印刷指示した画像データにＫ色以外の画像データが存在するかどうか、すなわち画像が全体としてカラーであるか、あるいはモノクロであるかをチェックして、カラー／モノクロフラグ情報を作成する（ステップＳ１２２）。すなわち、画像データを印刷したときにカラーページが一部であっても存在する場合はカラーフラグをたて、全てがモノクロページである場合はモノクロフラグをたてる。
【０１３７】
カラー／モノクロ判断部２９は、作成した印刷データのヘッダ部に作成したカラー／モノクロフラグ情報を付加する（ステップＳ１２３）。
【０１３８】
画像形成装置インターフェース部２６は、印刷データをＵＳＢやＬＡＮなどのＩ／Ｆにより、画像形成装置に対してヘッダ部にカラー／モノクロフラグ情報が付加された印刷データを送信する（ステップＳ１２４）。
【０１３９】
なお、上述する各実施の形態は、本発明の好適な実施の形態であり、本発明の要旨を逸脱しない範囲内において種々の変更実施が可能である。例えば、画像形成装置および情報処理装置の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【符号の説明】
【０１４０】
１−ａ，１−ｂ，１−ｃ，１−ｄ    感光体
２    中間転写ベルト
３−ａ，３−ｂ，３−ｃ，３−ｄ    ＬＤ装置
４    センサ
５    ＣＰＵ
６    操作パネル
７    ＲＯＭ７
８    ＥＥＰＲＯＭ
９    ＲＡＭ（Random Access Memory）
１０    画像メモリ
１１    Ｉ／Ｏ
１２    Ｉ／Ｆ
１３    コンピュータインタフェース部
１４    プロッタ部
１５    画像メモリ部
１６    操作部
１７    プリントジョブ管理部
１８    トナー濃度検知部
１９    補正部
２０    記憶部
２１    制御部
２２    ＣＰＵ
２３    メモリ
２４    Ｉ／Ｆ
２５    制御部
２６    画像形成装置インターフェース部
２７    画像記憶部
２８    印刷データ作成部
２９    カラー／モノクロ判断部
【先行技術文献】
【特許文献】
【０１４１】
【特許文献１】特開２００８−０３２９６０号公報
【特許文献２】特開２００８−０９６８０７号公報
【図１】
2011059628.tif 000003
【図２】
2011059628.tif 000004
【図３】
2011059628.tif 000005
【図４】
2011059628.tif 000006
【図５】
2011059628.tif 000007
【図６】
2011059628.tif 000008
【図７】
2011059628.tif 000009
【図８】
2011059628.tif 000010
【図９】
2011059628.tif 000011
【図１０】
2011059628.tif 000012
【図１１】
2011059628.tif 000013
【図１２】
2011059628.tif 000014
【図１３】
2011059628.tif 000015
【図１４】
2011059628.tif 000016
【図１５】
2011059628.tif 000017
【図１６】
2011059628.tif 000018